(57)【要約】【課題】この発明は、打球をターゲット箱にストックすることにより連続して打球可能とすると共に回収しやすくし、かつホールに入れるという臨場感を味わうことができ、かつ短距離であっても長距離と同等の距離感、打球感のある練習を可能とするパッティング練習具を得ることを課題とするものである。【解決手段】この発明のゴルフ練習具は、扁平直方体のターゲット箱Ａと、このターゲット箱に結合されるスロープ板Ｂとで構成する。前記ターゲット箱の上面に円形の開口部３を設け、上面の一側には前記スロープ板の取付部を設ける。そして、前記スロープ板は、前記ターゲット箱への取付部と、前記ターゲット箱の上面とターゲット箱の載置面との間に傾斜面を形成する傾斜部とを備えたものとする。【選択図】 図３
2012045292.tif 000002
【特許請求の範囲】
【請求項１】
扁平直方体でボールを収納できるターゲット箱と、このターゲット箱に結合されるスロープ板とよりなり、
前記ターゲット箱は、上面に疑似ティーカップとなる円形の開口部を有し、上面の一側には前記スロープ板の取付部を有し、
前記スロープ板は、前記ターゲット箱への取付部と、前記ターゲット箱の上面とターゲット箱の載置面との間に傾斜面を形成する傾斜部とを備えた、
パッティング練習具。
【請求項２】
ターゲット箱は、上方が開口した下部材と下方が開口して下部材の内側に嵌装される上部材とを嵌め合わせてなり、上部材の天板に円形の開口部を形成し、上部材と下部材との嵌合部に形成される間隙をスロープ板の取付部とした、
請求項１記載のパッティング練習具。
【請求項３】
ターゲット箱の開口部に対応する位置にゴム紐を張設し、このゴム紐に揺動板を取り付けた、
請求項１又は２に記載のパッティング練習具
【発明の詳細な説明】
【技術分野】
【０００１】
この発明は、ゴルフのパッティング練習具に関するものである。
【背景技術】
【０００２】
出願人は先に、複数のゴルフボールを収納でき、かつ蓋体と収納体とに分割可能な箱体の何れか一方をターゲットボックスとし、他方を打球用ストックケースとし、前記ターゲットボックスは、箱の側壁に開口部が設けられ、前記開口部には擬似カップとしてのターゲット片を備え、前記打球用ストックケースは、箱の側壁にゴルフボール１個が通過できる幅の開口部が設けられ、前記開口部側が低くなるように底面が傾斜されたパッティング練習具を出願した（特開２０１０−８８６００号）。
この出願の発明は、ターゲットボックスに複数個の打球を収納できるものであるが、箱の側壁に設けられた開口部をターゲットとするものであり、打球をホールに入れる楽しさを味わうことができなかった。
【０００３】
また、パットの練習のためには数メートルの直線区間を必要とするのであるが、家庭での練習を考えた場合、数メートルの直線区間を確保することはきわめて困難であり、２−３メートル程度の距離での練習しかできないのが現状である。
この発明では、スロープ板を設けることにより、実際の距離以上のパット距離に相当する練習を可能とするものである。
なお、スロープを設けた発明として特開２００４−２５４９４４号の発明が存在する。しかしながら、この発明は、舌状部（スロープ）としては、可撓性を有するシート状部材（即ち可撓性シート）のような衝撃を吸収し易いものを用いることが好ましい、舌状部がゴルフ練習用具Ａの前方に傾斜状に延設されているため、舌状部上に落下したボールが、ややくぼんだ中央部分の上を舌状部８の先端部分まで転がっていき、ゴルフボールを効率よく回収することができる、と説明されているように、実際のパット距離よりも長い距離を得るためにスロープを設けたものではない。
スロープ（舌状部）の素材として可撓性素材を使用すれば、距離感が失われ、パットの練習にはならない。
【特許文献１】特開２０１０−８８６００号公報
【特許文献２】特開２００４−２５４９４４号公報
【発明の開示】
【発明が解決しようとする課題】
【０００４】
この発明は、打球をターゲット箱にストックすることにより連続して打球可能とすると共に回収しやすくし、かつホールに入れるという臨場感を味わうことができ、かつ短距離であっても長距離と同等の距離感、打球感のある練習を可能とするパッティング練習具を得ることを課題とするものである。
【課題を解決するための手段】
【０００５】
この発明のゴルフ練習具は、扁平直方体のターゲット箱と、このターゲット箱に結合されるスロープ板とで構成する。前記ターゲット箱の上面に円形の開口部を設け、上面の一側には前記スロープ板の取付部を設ける。そして、前記スロープ板は、前記ターゲット箱への取付部と、前記ターゲット箱の上面とターゲット箱の載置面との間に傾斜面を形成する傾斜部とを備えたものとする。
前記スロープ板は、ボールが乗っても可及的に撓みの少ない硬質材、例えば１ミリ厚程度のボール紙を用いることが好ましいが、撓んでもボールがスロープを上ることができればよい。
前記取付部は、後に述べる間隙の他、ターゲット箱の上面に面ファスナーを設け、スロープ板の下面にも面ファスナーを設けるような構成とすることもできる。
【０００６】
前記ターゲット箱は合成樹脂などで一体的に形成することもできるが、上方が開口した下部材と下方が開口して下部材の内側に嵌装される上部材とを嵌め合わせて構成することもできる（請求項２）。この場合、上部材の天板に円形の開口部を形成し、上部材と下部材との嵌合部に形成される間隙をスロープ板の取付部とする。
ターゲット箱をこのように構成するとき、ターゲット箱は１２個入りのゴルフボールの包装箱をそのまま使用することができる。すなわち、包装箱として使用されるときの状態と上下反転させ、ボールの収納部であった「身」の部分を前記上部材とし、「蓋」の部分を前記下部材とする。
【０００７】
請求項３の発明は、ターゲット箱の開口部に対応する位置にゴム紐を張設し、このゴム紐に揺動板を取り付けたものである。
揺動板としては、常態（打球に当たらないとき）は起立していてターゲットとして機能するもの、常態では倒れていて所定数のボールがターゲット箱に溜まったときに起立して、カップインの成功を表示するものとして機能するものが考えられる。双方はゴム紐への取付方法により選択できる。
【発明の効果】
【０００８】
この発明によれば、ターゲット箱の上面に疑似ティーカップとなる開口部を設けたので、ボールの回収が容易なターゲット箱を目標としつつも、ボールをティーカップに入れる意識を持って、パットを練習することができる。そして、スロープ板と組み合わせてあるので、ターゲット箱の上面に疑似ティーカップとなる開口部を設けることができ、かつ短距離であってもスロープで打球の加速度が減殺されるので、実距離よりも長い距離でのパット練習が可能となる。
そして、請求項２の発明によれば、ゴルフボールの包装箱をそのままターゲット箱に利用することができ、通常は廃棄される包装箱を二次利用することができることとなり、ゴルフボールの販促目的にも活用することができる。
【発明を実施するための最良の形態】
【０００９】
図１は既存のゴルフボールの包装箱であり、ゴルフボールが１２個収納される収納体１に蓋体２が、蓋体の周壁２ａを収納体１の側壁１ａの外側に位置させて嵌め合わせて、ゴルフボールの包装箱Ａを構成している。
この発明では、常態では収納体１が下側に、蓋体２が上側に位置する包装箱Ａを天地逆転させてターゲット箱として使用する。以下、逆転した状態として、収納体１のゴルフボール収納時において底板となる部分を「収納体の天板」と記述する。
【００１０】
図２は図１の包装箱Ａを天地逆転した状態、すなわちこの発明のターゲット箱（これも符号Ａとして示す）するとして使用する状態を示すものであり、収納体１が上方に、蓋体２が下方に位置する。
前記包装箱Ａは扁平縦直方体（縦方向にゴルフボール４個、横方向にゴルフボール３個が収納される）であり、その高さは概ねゴルフボール１個の直径に相当する。
その収納体１の上面１ｂの一端縁近傍に、ゴルフのティーカップに対応する大きさ（直径１０．８センチ）の円形の開口部３が形成してある。この開口部３は、包装箱Ａをゴルフボールの収納箱として使用するときは、開口予定部としてミシン目を形成しておき、練習具として使用するときにミシン目を破断して開口部３を形成するようにする。
【００１１】
前記収納体１に蓋体２を嵌装すると、収納体１の側壁１ａと蓋体２の側壁２ａとの間に上向きに開いた間隙が生じる。ここで、前記開口部３と遠い方のターゲット箱Ａの縁部に形成された間隙をスロープ板との取付部５として利用する。
【００１２】
スロープ板Ｂは、前記包装体Ａに収納される大きさ（縦はゴルフボール４個相当、横はゴルフボール３個相当）のスロープ部６ａの端縁に、前記取付部５に挿入される取付片６ｂを屈曲部６ｃを介して連設した態様であり、ゴルフボールが乗っても殆ど撓まない厚紙、例えば厚さ約１ミリのボール紙、で構成されている。
【００１３】
前記ターゲット箱Ａの取付部５にスロープ板Ｂの取付片６ｃを挿入すると、スロープ板６の一縁はターゲット箱Ａの載置面に接する。そして、スロープ板Ｂによって、載置面からターゲット箱Ａまで連続したボール走行面が形成される。加えて、スロープ板Ｂが略４５ｍｍ（容器の高さ）／略１８０ｍｍ（容器の長さ）の角度をなすスロープを形成する（図３）。そのために、実距離よりも１−１．５メートル長い距離にに相当するパッティング練習をすることができる。
前記スロープ板Ｂの裏面には図５に示すようなターゲット７を表示し、このターゲット７を直近の目標として利用することもできる。
【００１４】
この実施例によれば、ターゲット箱Ａの上面に開口部３を設けたので、打球を箱に回収するという機能を維持しつつ、ゴルフのホールを模した開口部を目標としてパッティング練習をすることができる。加えて、スロープ部を設けたので、スロープ部で打球の加速度が減殺されるので、短距離の環境であっても長距離に相当するパッディングを練習することができる。なお、スロープ部はボールが乗っても殆ど撓まないので、この練習具で何メートルから打てば何メートルと同様の打撃力である、ということがはっきり理解できる。
【００１５】
図４ないし図７は請求項３の実施例である。
図４は、ターゲット箱Ａの開口部３に取付部５と平行に輪ゴム７を取付け、この輪ゴムの開口部３を横切る上方部分７ａと下方部分７ｂとに揺動板８を取り付けてある。
前記揺動板８は上部の係止部８ａが輪ゴムの上方部分７ａに、下部の係止部８ｂが輪ゴムの下方部分８ｂにそれぞれ係止し、常態において起立している。この揺動板８には、開口部３よりも厳格なターゲット（例えば６．５センチ）の表示８ａを施し、パッディング練習の目標とする。
【００１６】
図５の実施例は、上記と同様に配設された輪ゴム７の上方部分７ａにのみ揺動板９を取り付けてある。この揺動板９は立ち上がり部９ａとボール受け部９ｂとで構成され、前記立ち上がり部９ａとボール受け部９ｂの境界に輪ゴム７との係止部が設けてある。この揺動板９は前記開口部３を形成する際に切り取った部分で構成する。
そして、前記立ち上がり部９ａとボール受け部９ｂとは、常態（ボールがない状態）で立ち上がり部９ａはターゲット箱Ａの上面に沿い、ボール受け部９ｂが開口部３から入ってくるボールの圧力を受けて後退（前記取付部５の反対側に移動）するように屈曲してある。
【００１７】
このように構成すると、揺動板９は、ターゲット箱の開口部に入った球をボール受け部９ｂが取付部５側に押し入れる。ボールがたくさん溜まるとボール受け部９ｂが入ったボールを取付部側に押し入れられなくなり、逆にボールに押される。その結果立ち上がり部９ａが立ち上がる。
この揺動板９に「perfect」などの表示をしておくと、練習者は自己の成果を喜び、練習の励みとなる。
【産業上の利用可能性】
【００１８】
この発明は、打球の回収を容易にしつつ、短距離であっても長距離でのパット練習を可能とするものであって、産業上の利用可能性を有するものである。
【図面の簡単な説明】
【００１９】
【図１】ゴルフボール包装箱の分解斜視図
【図２】実施例の分解斜視図
【図３】実施例の斜視図
【図４】揺動板を取り付けた実施例の斜視図
【図５】揺動板の別の態様の実施例の斜視図
【図６】同じくボールが数個入った状態の斜視図
【図７】同じくボールが多数入った状態の斜視図
【符号の説明】
【００２０】
Ａ    ターゲット箱（包装箱）
Ｂ    スロープ板
１    収納体
２    蓋体
３    開口部
５    取付部
７    輪ゴム
８    揺動板
９    揺動板
１０  ボール      
【図１】
2012045292.tif 000003
【図２】
2012045292.tif 000004
【図３】
2012045292.tif 000005
【図４】
2012045292.tif 000006
【図５】
2012045292.tif 000007
【図６】
2012045292.tif 000008
【図７】
2012045292.tif 000009